(57)【要約】【課題】侵入者が侵入した際、踏み付けたり持ち上げたりすると音を発し、又、水に強く、何度でも使用可能であり、不要な際には撤去・保管・運搬することが容易な防犯シートを提供することを課題とする。【解決手段】外部からの刺激により音を発する合成樹脂等からなる発音体３に、シート状の部材２を設ける。又、発音体３をシート状に形成する。尚、前記発音体３を凸凹に形成しても良い。【選択図】図１
2006293954.tif 000002
【特許請求の範囲】
【請求項１】
外部からの刺激により音を発する発音体を設けた防犯シートに於いて、必要の際、必要な場所に配置し、不要の際には巻いたり折り畳んで保管することを特徴とする防犯シートの使用方法。
【請求項２】
外部からの刺激により音を発する発音体に、シート状の部材を設けたことを特徴とする防犯シート。
【請求項３】
外部からの刺激により音を発する発音体をシート状に形成したことを特徴とする防犯シート。
【請求項４】
前記発音体を凸凹に形成したことを特徴とする請求項２又は請求項３記載の防犯シート。
【発明の詳細な説明】
【発明の詳細な説明】
【技術分野】
【０００１】本発明はベランダや建物・テント等の開口部や周囲・敷地・畑・自己のエリア等への侵入者に対し、音で警告を発する防犯シートに関する。
【背景技術】
【０００２】従来の技術としては、ベランダ等に手軽に設置出来る防犯シート等はなく、外部に設置するものとして玉砂利や貝殻・トタン等の音の鳴るものを敷き詰める等して、独自で工夫をして防犯対策をしていた。【０００３】又、過去の出願に於いて、マット本体に粘着剤層を設けた防犯用マット（特許公開２００１−１５５２６４／登録実用新案第３０７４８３３号）があった。
【発明が解決しようとする課題】
【０００４】しかしながら、以上の従来技術によれば、玉砂利や貝殻等は一度敷き詰めると撤去作業が大変だったり、トタン等は建物の美観を損ねるものと思われる。又、重量がある為、女性や高齢者による運搬には労力を要すると思われる。
【０００５】粘着剤層を設けた防犯用マットは、設置しても侵入者が気が付き、本体自体を移動させることも出来ると考えられる。又、ベランダ等外気に晒される場所に於いては、埃やゴミ等が付着してしまう恐れがある。手軽に防犯対策出来るものが望ましい。
【０００６】キャンプ等でテントを張る際や、海岸で場所を確保し余暇を楽しむ際等、侵入者に対しては無防備なことが多い。又、その際夜間就寝中に於いては特に危険だと思われる。
【０００７】そこでこの発明は、ベランダや建物・テントの開口部や周囲・敷地・畑・自己のエリア等に侵入者が侵入した際、踏み付けたり持ち上げたりする等の外部からの刺激により音を発し、侵入者に対しては威嚇を、侵入される者に対しては警告を発する、又  水に強く、何度でも使用可能であり、不要な際には撤去・保管・運搬することが容易な防犯シートを提供することを課題とする。
【課題を解決するための手段】
【０００８】以上の課題を解決する為に、請求項１の発明は、外部からの刺激により音を発する発音体を設けた防犯シートに於いて、必要な際、必要な場所に配置し、不要の際には巻いたり折り畳んで保管することを特徴とする防犯シートの使用方法である。又、請求項２の発明は、外部からの刺激により音を発する発音体に、防水性を有するシート状の部材を設けたことを特徴とする防犯シートである。又請求項３の発明は、外部からの刺激により音を発する発音体を、シート状に形成したことを特徴とする防犯シートである。又請求項４の発明は、前記発音体を凸凹に形成したことを特徴とする請求項２又は請求項３記載の防犯シートである。
【発明を実施するための最良の形態】
【０００９】本発明に於いて、外部からの刺激によって音を発するものを発音体と定義する。本発明の第一の実施形態を図１に示す。防水性を有する合成樹脂等からなるシート状の部材２を袋状にし、その内部にプラスチック等を蛇腹状に形成した発音体３を設ける。袋の口を溶着や縫製等によって閉じる。シート状の部材２の内部の発音体３が外部からの圧力等の刺激により、摩擦又は変形しバリバリと音を発する。発音体３を蛇腹状に形成することで、筒状に巻くことが容易で未使用時の保管に適している。尚、発音体３の形状は蛇腹状に限定されるものではなく、圧力等の刺激に対して音を発する形状であれば良く、色々な変形例が考えられる。又図１では襠４を設け厚みを持たせているが、図２で示す様に袋状であれば良い。【００１０】又、発音体３の素材はプラスチックに限定されるものではなく、アルミを紐状に細長く裁断したものをアトランダムに入れる等、軽くて良く音を発するものであれば良い。【００１１】発音体３として、鈴や圧力により音の鳴るクッション、空気を充填させた小袋等を適量設けても良い。【００１２】図３で示すように、シート状の部材２の所望の箇所に、発音体３のズレ防止の為溶着や縫製等により仕切り５を設けても良い。又、屏風形になるよう仕切り５を設けることによって、屏風畳みをすることが可能である。【００１３】又、発音体３を内袋に設けることにより、内袋を取り出せばシート状の部材２のみでも使用することも可能である。【００１４】次に本発明の第二の実施形態を図４に示す。図４はプラスチック等の合成樹脂からなるシート状の発音体３を、表面が砂利を敷き詰めた様な形状になるよう凸凹に形成したものである。四隅は錘が配置出来るように平坦部６を設けた。第一の実施形態同様、発音体３が外部からの圧力等の刺激により、摩擦又は変形しバリバリと音を発する。【００１５】敷く使用方法以外に、建物やテントの開口部等に吊るして使用することも可能である。開口部を開放した状態にする場合に有効である。又、図５で示すように上部に紐通し７や、発音体３の縦方向に切れ目８を設け暖簾の様にしても良い。【００１６】「他の実施形態」
第一の実施形態の変形例として、発音体３の下面にゴム等の軟質合成樹脂等からなるシート状の部材２を設け、上面にプラスチック等の合成樹脂等からなるシート状の部材２を設ける等、発音体３の下面と上面に異素材を組み合わせしても良い。又、下面と発音体３のみを組み合わせる等、色々な変形例が考えられる。【００１７】図６は防犯シート本体１・１２の四隅に錘を入れる為のポケット９を設けたものである。又、図７は屋外で地面に固定させる為の杭の差し込み口１０を設けたものである。図８は固定部材としての紐１１を設けたものである。又、別の固定部材として、両面テープや吸盤・地中に打ち込む為の細棒等を設けても良い。尚、シート状の部材２自体にある程度の重さを設け、風等で飛ばされにくいようにしても良い。【００１８】図示はしないが、防犯シート本体１・１２に凸凹を設けもう一枚と噛み合わせたり、スナップ等を互いに設ける等して、複数枚を連結することも可能である。【００１９】図９で示すように、防犯シート本体１・１２を巻いたり、折り畳んだりした状態で保管する為に、固定の手段として傘を紐で留めるように、紐１３やマジックテープ１４等の留具を設けても良い。【００２０】侵入者が防犯シート本体１・１２の表面に触れた際、足跡が残りやすいよう表面に粉や塗料等を施しても良い。【００２２】本発明はリサイクル可能な材料で作成することが出来、地球環境にも優しい製品と言える。又安価で作成することが可能である。【００２３】本発明は下着泥棒や車上荒し対策、猿や烏等の動物への威嚇・警告等にも役立つ他、子供が誤ってベランダ等へ侵入した際保護者等へ警告を発し転落防止の役目も果たす。【００２４】以上本発明を述べてきたが、本発明は実施形態のみに限定されるものではなく、その使用目的から逸脱しない範囲で、他の色々な変形例が実施可能である。尚、防犯シート本体１・１２の長さ・幅・厚み・形成材料等も、使用目的や必要箇所に応じ、適宜に選定することが可能である。又、以上述べてきた本発明の色々な実施形態は、同時に２つ以上の実施が可能で、その組み合わせは自由である。
【発明の効果】
【００２５】以上説明したように本発明によれば、プラスチック等の合成樹脂等からなる発音体が外部からの刺激でバリバリと音を発することによって、侵入者に対しては威嚇を、侵入される者に対しては警告を発する。又、水にも強く、何度でも使用可能であり、不要な際には巻いたり折り畳むことによって、撤去・保管・運搬等が容易である。
【図面の簡単な説明】
【図１】第一の実施形態に係る防犯シートの襠を設けた状態を示す断面斜視図である。
【図２】第一の実施形態に係る防犯シートの襠を設けていない状態を示す断面斜視図である。
【図３】第一の実施形態に係る防犯シートに仕切りを設けた状態の斜視図である。
【図４】第二の実施形態に係る防犯シートの斜視図である。
【図５】第二の実施形態に係る防犯シートに紐通しと切れ目を設けた状態の正面図である。
【図６】本実施形態に係る防犯シートにポケットを設けた状態の底面図である。
【図７】本実施形態に係る防犯シートに差し込み口を設けた状態の斜視図である。
【図８】本実施形態に係る防犯シートに紐を設けた状態の斜視図である。
【図９】本実施形態に係る防犯シートに留具を設けた状態の斜視図である。
【符号の説明】
１、防犯シート本体
２、シート状の部材
３、発音体
４、襠
５、仕切り
６、平坦部
７、紐通し
８、切れ目
９、ポケット
１０、差し込み口
１１、紐
１２、防犯シート本体
１３、紐
１４、マジックテープ
【図１】
2006293954.tif 000003
【図２】
2006293954.tif 000004
【図３】
2006293954.tif 000005
【図４】
2006293954.tif 000006
【図５】
2006293954.tif 000007
【図６】
2006293954.tif 000008
【図７】
2006293954.tif 000009
【図８】
2006293954.tif 000010
【図９】
2006293954.tif 000011